(57)【要約】
【課題】　金属ブラシ体に対して容易に多元素鉱物粉状体を含有させて、簡単に製造できるようにしたヘアブラシの提供。
【解決手段】　柄１の先端部にブラシ台２が取り付けられ、このブラシ台に多数の金属ブラシ体３が植設されているヘアブラシＡにおいて、
　前記金属ブラシ体に金属の薄い皮膜を被覆したメッキ層が形成され、このメッキ層に多元素鉱物を粉砕して形成した多元素鉱物粉状体が混合されている。
【選択図】　　　図１
0003099422.tif 000002
【実用新案登録請求の範囲】
【請求項１】
　柄の先端部にブラシ台が取り付けられ、このブラシ台に多数の金属ブラシ体が植設されているヘアブラシにおいて、
　前記金属ブラシ体に金属の薄い皮膜を被覆したメッキ層が形成され、このメッキ層に多元素鉱物を粉砕して形成した多元素鉱物粉状体が混合されていることを特徴としたヘアブラシ。
【請求項２】
　請求項１記載のヘアブラシにおいて、前記メッキ層に、多元素鉱物粉状体に加えて、遠赤外線放射材料を粉砕して形成した遠赤外線放射粉状体が混合されているヘアブラシ。
【請求項３】
　請求項１又は２記載のヘアブラシにおいて、ブラシ台に磁性体が取り付けられているヘアブラシ。
【考案の詳細な説明】
【技術分野】
【０００１】
　本考案は、ヘアブラシの改良技術に関する。
【背景技術】
【０００２】
　従来のヘアブラシとしては、多元素鉱物粉状体を含有させた毛体を、ブラシ台に植設したものが知られている（例えば、特許文献１参照）。
　この従来のヘアブラシは、毛体に多元素鉱物粉状体を含有させる手段として、毛体自体に多元素鉱物粉状体を練り込むようにしたものであった。
【０００３】
　このように、毛体に多元素鉱物粉状体を含有させることによって、ブラッシングしても静電気が発生せず、ブラッシングをスムーズに行なうことができると共にスタイリングも容易にでき、しかもマイナスイオンによってブラッシングするだけで髪のつやや頭皮の血行を良好にして発毛促進やスキャルプケア等の効果が得られる。
【特許文献１】登録実用新案第３０４２６５２号公報
【考案の開示】
【考案が解決しようとする課題】
【０００４】
　従来のヘアブラシは、毛体自体に多元素鉱物粉状体を練り込むようにしているため、その製造に手間がかかるという問題があった。
【０００５】
　ヘアブラシには、その用途によって、毛体の代わりに真鍮等の金属ブラシ体を用い、この金属ブラシ体をブラシ台に植設したものがある。
　このように、金属ブラシ体を用いた場合、その表面を美しくするため、あるいは錆び止め等のために、表面にメッキ層を形成するのが好ましい。
【０００６】
　本考案は、上記したような実情に鑑み、金属ブラシ体に多元素鉱物粉状体を含有させる技術として、前記メッキ層に多元素鉱物粉状体を混合させ、これにより、金属ブラシ体に対して容易に多元素鉱物粉状体を含有させて、簡単に製造できるようにしたヘアブラシを提供することを課題としている。
【課題を解決するための手段】
【０００７】
　上記の課題を解決するために、本考案のヘアブラシ（請求項１）は、
　柄の先端部にブラシ台が取り付けられ、このブラシ台に多数の金属ブラシ体が植設されているヘアブラシにおいて、
　前記金属ブラシ体に金属の薄い皮膜を被覆したメッキ層が形成され、このメッキ層に多元素鉱物を粉砕して形成した多元素鉱物粉状体が混合されている構成とした。
【０００８】
　多元素鉱物とは、例えば、真珠岩や松脂岩のように珪素を主成分とし、多数の元素がバランスよく含まれている鉱物をいい、この多元素鉱物はマイナスイオンを出すことが知られている。
【０００９】
　そして、多元素鉱物粉状体をメッキ層に混合させる手段として、例えば、多元素鉱物をボールミル等で約０．５〜３ミクロン、好ましくは０．５〜１ミクロンに粉砕して粉状体に形成し、これをメッキ液中に混合し、金属ブラシ体の表面に塗布してコーティングするようにしている。
　この場合、多元素鉱物粉状体は２種類以上を適宜に配合して使用することが好ましいが、１種類であってもよい。
　又、多元素鉱物粉状体を水と混合し、加熱又は加圧したのち、上澄み液をメッキ層に混合させてもよいし、真空凍結乾燥や噴霧乾燥により粉末にしたものをメッキ層に混合させてもよい。
【００１０】
　本考案（請求項１）では、金属ブラシ体に形成したメッキ層に多元素鉱物粉状体を混合させたものであるため、金属ブラシ体自体に多元素鉱物粉状体を練り込むものに比べて、その製造が簡単になる。
【００１１】
　又、多元素鉱物粉状体を混合させたので、静電気の発生を抑えることができ、ブラッシングをスム−ズに行なうことができると共にスタイリングも容易に行なうことができる。
【００１２】
　又、多元素鉱物よってマイナスイオンを発生させることができる。従って、このマイナスイオンによって頭髪の水分や薬液の水分にクラスター現象（水の分子集団を小さくする力）が生じ、頭髪に対する薬液（養毛剤等）の浸透を促進させることができる。
【００１３】
　又、マイナスイオンによって頭髪のつやや頭皮の血行が良好になるし、発毛促進やスキャルプケア等に効果がある。また、マイナスイオンが頭髪のキュ−ティクル（ガラス状の繊維）に作用し、常にツヤのよい状態に保つことができる。特に、ダメ−ジヘアや細くてまとまりづらい頭髪に効果的である。
【００１４】
　また、この多元素鉱物粉状体から放射される４〜１４μｍの波長の電磁波（微弱エネルギ−）には、原子の核の周囲を電気的に変化させて原子、さらにその物質を励起状態（振動）にし、その結果、水のクラスタ（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。従って、頭髪のケア、頭皮の血行の促進が得られる。
【００１５】
　又、本考案のヘアブラシ（請求項２）は、前記請求項１記載のヘアブラシにおいて、前記メッキ層に、多元素鉱物粉状体に加えて、遠赤外線放射材料を粉砕して形成した遠赤外線放射粉状体が混合されている態様とした。
【００１６】
　このように、多元素鉱物粉状体に加えて、遠赤外線放射材料を粉砕して形成した遠赤外線放射粉状体を混合させておくと、この遠赤外線放射粉状体から遠赤外線が放射され、頭髪や頭皮を内部から温めることができる。これにより、頭髪に対する薬液の浸透を促進させることができるし、頭皮の血行を良好にすることができる。
【００１７】
　又、本考案のヘアブラシ（請求項３）は、前記請求項１又は２記載のヘアブラシにおいて、ブラシ台に磁性体が取り付けられている態様とした。
【００１８】
　ヘアブラシは、その構成部材として、柄と、この柄の先端部に取り付けられたブラシ台と、このブラシ台に植設され金属ブラシ体を備えており、この構成部材のうち、ブラッシングに際し、頭髪を梳くための金属ブラシ体が頭髪に最も多く接触することになるが、ブラシ台についても頭髪に接触することになる。
　本考案（請求項３）では、ブラシ台に磁性体を取り付けているため、この磁性体から発生する磁力の作用で頭皮の血行を促進させることができる。
【考案の効果】
【００１９】
　本考案（請求項１）では、金属ブラシ体に形成したメッキ層に多元素鉱物粉状体を混合させたものであるため、金属ブラシ体自体に多元素鉱物粉状体を練り込むものに比べて、その製造が簡単になる。
【００２０】
　本考案（請求項２）では、多元素鉱物粉状体に加えて遠赤外線放射粉状体を混合させたので、この遠赤外線放射粉状体から放射される遠赤外線の作用を頭髪や頭皮に与えることができる。
【００２１】
　本考案（請求項３）では、ブラシ台に取り付けた磁性体から発生する磁力の作用で頭皮の血行を促進させることができる。
【考案を実施するための最良の形態】
【００２２】
　以下、本考案の実施の形態を図面に示す実施例により詳述する。
　図１は本考案の第１実施例であるヘアブラシを示す側面図、図２はこのヘアブラシの断面図である。
【００２３】
　このヘアブラシＡは、柄１と、この柄１の先端部に取り付けられたブラシ台２と、このブラシ台２に植設された多数の金属ブラシ体３を備えている。この場合、ブラシ台２は、柄１の先端部に形成された係止溝１１内に周縁部を嵌合することによって取り付けられている。
　なお、ヘアブラシＡの構成部材のうち、柄１は合成樹脂（例えば、ＡＢＳ樹脂等）で形成され、ブラシ台２は合成ゴム等の柔軟素材で形成され、又、金属ブラシ体３は真鍮で形成され、その表面に金属の薄い皮膜を被覆したメッキ層が形成されている。
　前記金属ブラシ体３はブラシ台２とは別部材で形成され、ブラシ台２に裏面から貫通させて、その基端部に形成したフランジ３０によってブラシ台２に係止されている。
【００２４】
　そして、前記金属ブラシ体３に、多元素鉱物を粉砕して形成した多元素鉱物粉状体と、遠赤外線放射材料を粉砕して形成した遠赤外線放射粉状体を含有させるもので、この場合、前記メッキ層に多元素鉱物粉状体（真珠岩の粉状体）及び遠赤外線放射粉状体（アルミナ（Ａｌ２Ｏ３）、チタニア（ＴｉＯ２）の粉状体）を混合させている。
【００２５】
　多元素鉱物粉状体は、これを粉状体のままメッキ液に混合してもよいし、これを水と混合し加熱又は加圧した後、上澄み液をそのまま又は真空凍結乾燥や噴霧乾燥により粉末にしたものをメッキ液に混合してもよい。メッキ液に多元素鉱物粉状体を混合するときは、１リットルのメッキ液を７０度まで加熱し、これに１００ｇの多元素鉱物粉状体を投入し、良く攪拌し混ぜ合わせたのち、これをタンクに戻す。タンクでは、濾過器やポンプ、エアー等を使用して多元素鉱物粉状体が底に沈殿しないようにして使用する。
【００２６】
　尚、多元素鉱物の例である真珠岩の成分を表１に示す。
【００２７】
【表１】
0003099422.tif 000003
【００２８】
　又、遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等があり、これらを粉砕して粉状体にしたものを、単独或いは組み合わせて使用することができる。
【００２９】
　又、前記ブラシ台には、磁性体４が取り付けられている。
　この磁性体４としては、４００ガウスから１２００ガウス（好ましくは８００ガウス）の永久磁石が用いられている。
　この場合、例えば、磁性材料としてのフェライト磁石や希土類磁石等をそのまま用いることができるし、又、ゴム磁石やプラスチック磁石を用いることができる。尚、ゴム磁石は、磁性材料としてのフェライト磁石や希土類磁石等の粉末をゴム状結合材と混練して成型したものであり、また、プラスチック磁石は、磁性材料としてのフェライト磁石や希土類磁石等をプラスチック材料に混練して成型したものである。
【００３０】
　以上、本考案の実施の形態を説明してきたが、具体的な構成はこの実施の形態に限定されるものではない。
　又、本考案のヘアブラシを使用するときは、そのまま、あるいはヘアドライヤーと共に使用する。ヘアドライヤーとしては本考案者が開発したマイナスイオンを温風又は冷風と共に噴出するイオンドライヤーを使用することが好ましい。
【図面の簡単な説明】
【００３１】
【図１】本考案の第１実施例であるヘアブラシを示す側面図である。
【図２】このヘアブラシの断面図である。
【符号の説明】
【００３２】
　　Ａ　ヘアブラシ
　　１　柄
　１１　係止溝
　　２　ブラシ台
　　３　金属ブラシ体
　３０　フランジ
　　４　磁性体
【図１】
0003099422.tif 000004
【図２】
0003099422.tif 000005